(57)【要約】【課題】よりきめ細かな定着プロセス制御を決定する画像形成システム及びホスト装置を提供する。【解決手段】上位装置１は、画像形成装置２を制御するプリントドライバ５と、ＧＵＩにより構成されたメニュー６、および画像形成装置２の定着プロセスを制御するためのパラメータを決定するプロセスパラメータ決定手段４を備え、画像形成装置２は、作像手段９における作像プロセスを制御するプロセス制御手段３を備え、プロセス制御手段３はインターフェイス８を介して、上位装置１から送られたプリントジョブファイルを受け取り、さらにプリントジョブファイルからプロセスパラメータを抽出して、このプロセスパラメータにより作像手段９の定着手段１１を制御する。【選択図】図２
2008097382.tif 000002
【特許請求の範囲】
【請求項１】
加熱部材を備えた定着手段と、用紙を積載する用紙トレイとを少なくとも設けた電子写真方式の画像形成装置と、該画像形成装置と接続されて前記画像形成装置を制御するホスト装置と、から構成される画像形成システムにおいて、
前記ホスト装置は、前記定着手段における定着プロセスを制御するためのプロセスパラメータを決定するプロセスパラメータ決定手段と、を備え、
前記画像形成装置は、前記ホスト装置の指示によって前記定着手段における定着プロセスを制御するプロセス制御手段を備え、
前記ホスト装置は、前記画像形成装置から転送されてくる状態情報を前記プロセスパラメータ決定手段に転送して前記状態情報に応じてプロセスパラメータを決定させ、前記プロセスパラメータを画像データとともに前記画像形成装置に転送し、
前記画像形成装置は、前記プロセス制御手段により前記用紙トレイに装填された用紙の種別及び前記加熱部材の温度からなる状態情報を検出して前記ホスト装置に転送すると共に、前記ホスト装置から前記画像データと共に転送されてくる前記プロセスパラメータによって前記定着プロセスを制御することを特徴とする画像形成システム。
【請求項２】
前記ホスト装置は、前記プロセスパラメータを、前記画像データより先に前記プロセス制御手段に転送することを特徴とする請求項１記載の画像形成システム。
【請求項３】
前記ホスト装置は、前記定着プロセスをシミュレートする定着シミュレーション手段を備え、前記プロセスパラメータ決定手段は、前記定着シミュレーション手段によるシミュレーションの結果に基づいて前記プロセスパラメータを決定することを特徴とする請求項１又は２記載の画像形成システム。
【請求項４】
前記定着シミュレーション手段は、複数のサブシミュレーション手段を備え、前記ホスト装置の演算処理能力に応じて前記サブシミュレーション手段を切り替えることを特徴とする請求項３記載の画像形成システム。
【請求項５】
前記ホスト装置は、前記定着シミュレーション手段によるシミュレーションの結果を反映した出力予想画像と、該出力予想画像に応じて対話的にプロセスパラメータを決定する設定手段と、を表示する表示手段を備えたことを特徴とする請求項３又は４記載の画像形成システム。
【請求項６】
前記ホスト装置における前記プロセスパラメータ決定手段を構成するソフトウェアの更新によって前記プロセスパラメータの決定方法を変更することを特徴とする請求項１乃至５の何れか一項に記載の画像形成システム。
【請求項７】
前記画像形成装置は、画像読取装置を備え、該画像読取装置は、用紙に出力された画像を読み取り、当該画像形成装置は読み取られた画像データを前記インターフェイスを介して前記ホスト装置に転送し、
前記プロセスパラメータ決定手段は、転送された前記画像データを解析して得た解析結果に応じて前記プロセスパラメータを決定することを特徴とする請求項１乃至６の何れか一項記載の画像形成システム。
【請求項８】
前記ホスト装置を複数備え、前記解析結果を各々のホスト装置で共有することを特徴とする請求項７記載の画像形成システム。
【請求項９】
画像形成装置と接続されたホスト装置であって、前記画像形成装置を制御するプリンタドライバと、前記画像形成装置に備えた定着手段における定着プロセスを制御するためのプロセスパラメータを決定するプロセスパラメータ決定手段と、を備え、
前記プリンタドライバは、前記画像形成装置に設けられたプロセス制御手段から、前記画像形成装置に装填された用紙の種別及び前記加熱手段の温度からなる状態情報を受け取り、該状態情報を前記プロセスパラメータ決定手段に転送して前記状態情報に応じてプロセスパラメータを決定させ、前記プロセスパラメータを画像データとともに前記プロセス制御手段に転送して、前記定着手段における定着プロセスを制御させることを特徴とするホスト装置。
【請求項１０】
前記プリンタドライバは、前記プロセスパラメータを、前記画像データより先に前記プロセス制御手段に転送することを特徴とする請求項９記載のホスト装置。
【請求項１１】
記定着プロセスをシミュレートする定着シミュレーション手段を備え、前記プロセスパラメータ決定手段は、前記定着シミュレーション手段によるシミュレーションの結果に基づいて前記プロセスパラメータを決定することを特徴とする請求項９又は１０記載のホスト装置。
【請求項１２】
前記定着シミュレーション手段は、複数のサブシミュレーション手段を備え、当該ホスト装置の演算処理能力に応じて前記サブシミュレーション手段を切り替えることを特徴とする請求項１１記載のホスト装置。
【請求項１３】
前記定着シミュレーション手段によるシミュレーションの結果を反映した出力予想画像と、該出力予想画像に応じて、対話的にプロセスパラメータを決定する設定手段と、を表示する表示手段を備えたことを特徴とする請求項１１又は１２記載のホスト装置。
【請求項１４】
前記プロセスパラメータ決定手段を構成するソフトウェアの更新によって前記プロセスパラメータの決定方法を変更することを特徴とする請求項９乃至１３の何れか一項に記載のホスト装置。
【発明の詳細な説明】
【技術分野】
【０００１】
本発明は、画像形成装置とホスト装置からなる画像形成システム及び上位装置に関する。
【背景技術】
【０００２】
従来から、画像形成装置にパーソナルコンピュータ等の上位装置を接続し、上位装置のディスプレイ等の表示装置に表示したメニューを介して画像形成装置への画像出力に関する比較的上位レベルの設定項目、例えば出力画像のレイアウト、トレイの選択、出力用紙種、拡大縮小比率、印刷枚数、モノクロ・カラー出力の選択、光沢仕上げなどの画像モード指定、といったことを設定したり、印刷のプレビューの表示や、印刷状況の表示などを行うものが知られている。
【０００３】
図１は、従来の画像形成装置と上位装置からなる画像形成システムを機能ブロックで示した図である。
図１を用いて上位装置６１と、画像形成装置６２から構成される従来の画像形成システムについて説明する。
上位装置６１は、表示装置に表示されるＧＵＩ(Graphical User Interface)から構成されるメニュー６６と、インターフェイス６８を介して画像形成装置６２を制御するプリンタドライバ６５を備えている。
画像形成装置６２は、前記したメニュー６６を介した各種設定に基づいてプロセスパラメータを決定するプロセスパラメータ決定手段６４と、決定されたプロセスパラメータに基づいて作像手段６９を制御するプロセス制御手段６３を備えている。
また、作像手段６９には加熱ローラを熱する単一または複数の加熱手段を備えた図示しない定着手段が具備されている。
【０００４】
プロセス制御手段６３は、用紙の種別に合わせて最適な出力を得るために定着手段の加熱ローラの温度、線速度を変更したり、省電力のために定着手段を休止状態に遷移させたり、活動状態に戻したり、用紙上のトナーが定着ローラのニップ部を通過中に所定の温度になるように加熱手段を制御する。各加熱手段のシーケンス制御に関しては、固定されたテーブルを参照することで行っていた。
しかしながら、従来方式の画像形成システムでは定着プロセスを含めた、作像プロセスや画像形成プロセスに用いるプロセスパラメータの大半を画像形成装置側のプロセスパラメータ決定手段６４で決定するため、プロセスパラメータ決定手段６４を実行するプロセス制御手段６３の処理能力に限界があり、最適な制御が十分には行えないという問題があった。
【０００５】
このような問題を解決するために、特許文献１には、上位装置から受信した制御情報に基づいて制御をする画像形成装置が開示されている。
特許文献１の発明においては、定着温度設定値等の定着制御に必要な定着制御設定データ等を、目的とする印刷媒体で良好な印刷結果が得られるように実験によって決定し、それを媒体設定データとしてあらかじめ決められた形式でコンピュータ（上位装置）の記憶手段に記憶している。
コンピュータは、インターフェイスケーブルを介して媒体設定データを印刷装置(画像形成装置)に送信する。印刷装置は、その媒体設定データに基づいて画像形成制御、定着手段、印刷速度制御などの設定を行って印刷を実行する構成である。
【特許文献１】特開２００５−７０１１６公報
【発明の開示】
【発明が解決しようとする課題】
【０００６】
しかしながら、特許文献１の発明によっても、コンピュータの記憶手段にあらかじめ記憶された媒体設定データ（プロセスパラメータ）以外では画像形成装置の定着プロセスを制御することができず、ユーザの個々に対する対応への柔軟性に欠けるという問題があった。そこで、本発明は上記問題を解決し、よりきめ細かな定着プロセス制御を決定する画像形成システム、上位装置を提供することを目的とする。
【課題を解決するための手段】
【０００７】
上記課題を解決するために、請求項１記載の発明は、加熱部材を備えた定着手段と、用紙を積載する用紙トレイとを少なくとも設けた画像形成装置と、該画像形成装置と接続されて前記画像形成装置を制御するホスト装置と、から構成される画像形成システムにおいて、前記ホスト装置は、前記定着手段における定着プロセスを制御するためのプロセスパラメータを決定するプロセスパラメータ決定手段と、を備え、前記画像形成装置は、前記ホスト装置の指示によって前記定着手段における定着プロセスを制御するプロセス制御手段を備え、前記ホスト装置は、前記画像形成装置から転送されてくる状態情報を前記プロセスパラメータ決定手段に転送して前記状態情報に応じてプロセスパラメータを決定させ、前記プロセスパラメータを画像データとともに前記画像形成装置に転送し、前記画像形成装置は、前記プロセス制御手段により前記用紙トレイに装填された用紙の種別及び前記加熱部材の温度からなる状態情報を検出して前記ホスト装置に転送すると共に、前記ホスト装置から前記画像データと共に転送されてくる前記プロセスパラメータによって前記定着プロセスを制御する画像形成システムを特徴とする。
【０００８】
請求項２記載の発明は、前記ホスト装置は、前記プロセスパラメータを、前記画像データより先に前記画像形成装置に転送する請求項１記載の画像形成システムを特徴とする。
請求項３記載の発明は、前記ホスト装置は、前記定着プロセスをシミュレートする定着シミュレーション手段を備え、前記プロセスパラメータ決定手段は、前記定着シミュレーション手段によるシミュレーションの結果に基づいて前記プロセスパラメータを決定する請求項１又は２記載の画像形成システムを特徴とする。
請求項４記載の発明は、前記定着シミュレーション手段は、複数のサブシミュレーション手段を備え、前記ホスト装置の演算処理能力に応じて前記サブシミュレーション手段を切り替える請求項３記載の画像形成システムを特徴とする。
請求項５記載の発明は、前記ホスト装置は、前記定着シミュレーション手段によるシミュレーションの結果を反映した出力画像と、該出力画像に応じて、対話的にプロセスパラメータを決定する設定手段と、を表示する表示手段を備えた請求項３又は４記載の画像形成システムを特徴とする。
【０００９】
請求項６記載の発明は、前記ホスト装置における前記プロセスパラメータ決定手段を構成するソフトウェアの更新によってプロセスパラメータの決定方法を変更する請求項１乃至５の何れか一項に記載の画像形成システムを特徴とする。
請求項７記載の発明は、前記画像形成装置は画像読取装置を備え、該画像読取装置は、用紙に出力された画像を読み取り、前記画像形成装置は読み取られた画像データを前記インターフェイスを介して前記ホスト装置に転送し、前記プロセスパラメータ決定手段は、転送された前記画像データを解析して得た解析結果に応じて前記プロセスパラメータを決定する請求項１乃至６の何れか一項記載の画像形成システムを特徴とする。
請求項８記載の発明は、前記ホスト装置を複数備え、前記解析結果を各々のホスト装置で共有する請求項７記載の画像形成システムを特徴とする。
【００１０】
請求項９記載の発明は、画像形成装置と接続されたホスト装置であって、前記画像形成装置を制御するプリンタドライバと、前記画像形成装置に備えた定着手段における定着プロセスを制御するためのプロセスパラメータを決定するプロセスパラメータ決定手段と、を備え、前記プリンタドライバは、前記画像形成装置に設けられたプロセス制御手段から、前記画像形成装置に装填された用紙の種別及び前記加熱手段の温度からなる状態情報を受け取り、該状態情報を前記プロセスパラメータ決定手段に転送して前記状態情報に応じてプロセスパラメータを決定させ、前記プロセスパラメータを画像データとともに前記プロセス制御手段に転送して、前記定着手段における定着プロセスを制御させるホスト装置を特徴とする。
請求項１０記載の発明は、前記プリンタドライバは、前記プロセスパラメータを、前記画像データより先に前記プロセス制御手段に転送することを特徴とする請求項９記載のホスト装置を特徴とする。
請求項１１記載の発明は、前記定着プロセスをシミュレートする定着シミュレーション手段を備え、前記プロセスパラメータ決定手段は、前記定着シミュレーション手段によるシミュレーションの結果に基づいて前記プロセスパラメータを決定する請求項９又は１０記載のホスト装置を特徴とする。
【００１１】
請求項１２記載の発明は、前記定着シミュレーション手段は、複数のサブシミュレーション手段を備え、当該ホスト装置の演算処理能力に応じて前記サブシミュレーション手段を切り替える請求項１１記載のホスト装置を特徴とする。
請求項１３記載の発明は、前記定着シミュレーション手段によるシミュレーションの結果を反映した出力予想画像と、該出力予想画像に応じて、対話的にプロセスパラメータを決定する設定手段と、を表示する表示手段を備えた請求項１１又は１２記載のホスト装置を特徴とする。
請求項１４記載の発明は、前記プロセスパラメータ決定手段を構成するソフトウェアの更新によってプロセスパラメータの決定方法を変更する請求項９乃至１３の何れか一項に記載のホスト装置を特徴とする。
【発明の効果】
【００１２】
画像形成装置に装填された用紙の種別、加熱ローラ、補助加熱手段の温度等の状態情報をホスト装置に転送し、これらの情報に基づいてホスト装置によって定着プロセス条件を決定することにより、よりきめ細かいプロセスパラメータの決定が可能となった。
【発明を実施するための最良の形態】
【００１３】
以下に、図面を用いて本発明の実施の形態について詳細に説明する。
［実施例１］
本発明の第一の実施例について図２乃至図５に基づいて詳細に説明する。
図２は、本発明おける画像形成装置２とホスト装置としての上位装置１からなる画像形成システムの概略構成図である。
図２において、パーソナルコンピュータなどの上位装置１は、ソフトウェアとして実装されて、画像形成装置２を制御するプリントドライバ５と、ＧＵＩ(Graphical User Interface)により構成されたメニュー６を表示する図示しない表示装置、および画像形成装置２の作像プロセスを制御するためのパラメータを決定するプロセスパラメータ決定手段４を備えている。
【００１４】
一方、画像形成装置２は、作像手段９における作像プロセスを制御するプロセス制御手段３を備え、プロセス制御手段３はＵＳＢ（Universal Serial Bus）インターフェイスやパラレルインターフェイスなどのインターフェイス８を介して、上位装置１から送られたプリントジョブファイルを受け取り、さらにプリントジョブファイルからプロセスパラメータを抽出して、このプロセスパラメータにより作像手段９を制御する。
作像手段９は、定着手段１１を備えており、プロセス制御手段３は、定着手段１１における定着プロセスの制御も行う。本実施例においては、本発明の特徴である定着手段１１の制御について特に説明するものとする。
【００１５】
図２において、画像形成装置２側のプロセス制御手段３にもプロセスパラメータ決定手段１０４を設けた構成となっているが、上位装置１から切り離された孤立状態での動作テスト程度の作像や、上位装置と接続された場合の標準条件での作像、または基本的なプロセスコントロールのために必要なプロセスパラメータのセットを、少なくとも１組備えていても本発明の趣旨には反しない。この場合、定着における基本的なプロセスコントロールとは、所定の設定温度に対するヒータへの電流制御、所定の線速度に対する定着ローラ駆動手段の回転制御など、定着ユニットの異常、たとえば紙ジャムなどの検出、定着ヒータ・駆動装置の温度以上・電流異常などに対する緊急停止指令など、画像形成装置２内でのリアルタイム制御のことである。
【００１６】
図３は画像形成装置２の定着プロセスにかかわる部分の構成を示す簡略図である。
図３において、紙種判別手段１６は用紙トレイ１５に装填された用紙１４の紙種を特定する機能を有する。たとえば用紙トレイ１５に用紙１４を補填する際に、紙種に応じてダイアルなどで設定した情報を電気信号として取り出す。信号はプロセス制御手段３により紙種情報として検知され、プロセス制御手段３は、上位装置１からの要求があれば、検知した紙種判別情報をインターフェイス８を介して上位装置１に送る。
用紙トレイ１５に装填された用紙１４は、用紙供給手段１７により搬送経路へと搬送され、紙転写画像形成手段１８に送られて、トナー画像が未定着の状態で形成される。紙転写画像形成手段１８は、電子写真方式の画像形成装置２における、転写プロセス以前の作像プロセスをすべて含む。未定着トナー像は定着手段１１に搬送され、加熱ローラ（加熱部材）１２及び加圧ローラ１３によって加熱、加圧されることによりトナー像が用紙上に定着され、プリント画像が形成される。
【００１７】
図４は定着手段１１をより具体的に示した模式図である。
定着手段１１は、上述の如く互いに当接して回転する加熱ローラ１２と加圧ローラ１３で構成され、加熱ローラ１２内部には、加熱ローラ１２を加熱する定着ローラ加熱手段２１が備えられている。加熱ローラ１２にはさらに、加熱ローラ温度センサ２２および加熱ローラ駆動手段３１が設けられている。また、例として未定着画像が加熱ローラ１２及び加圧ローラ１３間のニップ部に進入する経路には補助加熱手段２３と補助加熱手段温度センサ２４が設けられている。
【００１８】
加熱ローラ加熱手段２１、加熱ローラ温度センサ２２、補助加熱手段２３、補助加熱手段温度センサ２４は、加熱手段制御ユニット２５に接続されている。加熱手段制御ユニット２５はプロセス制御手段３が送った設定温度あるいはそのシーケンスと、加熱ローラ温度センサ２２と補助加熱手段温度センサ２４からの検出温度に基づいて加熱ローラ加熱手段２１および補助加熱手段２３を低レベル制御する。また、ローラ駆動手段２６の回転速度を低レベル制御し、加熱ローラ１２および加圧ローラ１３を、プロセス制御手段３により規定された速度・タイミングで回転させる駆動手段制御ユニット２７を有する。
加熱ローラ１２、補助加熱手段２３の温度制御やローラ駆動手段２６の回転速度制御などはリアルタイム性を要求され、最終的には専用のドライブユニットにより制御され、上位装置１がインターフェイス手段８を介して直接制御することがない。
【００１９】
図５は、本発明の画像形成システムの上位装置側の処理の流れを説明するフローチャートである。
図５のフローチャートに基づいて処理手順について説明する。
ユーザは、上位装置１のディスプレイ画面上に表示されたメニュー６を介して、画像出力条件を設定する（Ｓ１）。ユーザが画像出力条件を確定し印刷開始を指示すると（Ｓ２でＹｅｓ）、プリントドライバ５は画像出力条件を読み込む（Ｓ３）。
プリンタドライバ５は、画像形成装置２の用紙トレイに装填されている用紙の種別および加熱ローラ１２及び補助加熱手段２３の温度などの状態情報を検知する（Ｓ４）。ついで、出力対象の画像データ７を取り込み（Ｓ５）、画像出力条件に基づいて画像処理する（Ｓ６）。
【００２０】
プリントドライバ５は定着プロセスパラメータ決定手段４に指示して、画像出力条件や画像形成装置２の状態情報、処理された画像データに基づいて複数のプロセスパラメータを決定させ（Ｓ７）、その結果得られたプロセスパラメータと、処理された画像データ７、画像出力条件とを複合したプリントジョブファイルを作成し（Ｓ８）、作成したプリントジョブファイルをインターフェイス８を介して画像形成装置２のプロセス制御手段３に送る（Ｓ９）。
上位装置１から画像形成装置２に送られるプロセスパラメータは、少なくとも、加熱ローラ温度、補助加熱手段温度および加熱ローラ線速度である。
ユーザがメニューから印刷開始ボタンを押して、画像データ処理を開始すると同時に、定着に関するプロセスパラメータを事前に画像形成装置２のプロセス制御手段３に送ってもよい。これにより、たとえば画像形成装置２が休止状態に入っている場合、直ちに運転状態に移行し、同時に定着手段１１を所定の状態に設定することができるので、画像データを受け取った後に直ちに画像出力が可能になり、プリントジョブのレスポンスを向上させることが可能になった。
【００２１】
以上説明したように、詳細で複雑なプロセスパラメータの決定は上位装置１に分担させている。
また、プロセスパラメータ決定手段４の変更は上位装置１でのソフトウェアの交換のみで行うことができる。
このようにすることで、画像形成装置２側でのファームウェアの交換を伴わず、容易に制御を変更可能になる。改良した定着ユニットに交換した場合や個々のユーザの使用目的に合わせるなど、ソフトウェアを更新するだけで柔軟に対応することが出来る。また、より細かいプロセスパラメータの変更は従来でも、いわゆるサービスマンモードに入り画像形成装置２を操作することでも可能であったが、上位装置側のみの操作に限定することで、開発と製造及び保守のコストが低減できるようになった。
【００２２】
また、上位装置１により定着プロセス条件を決定することにより、従来の画像形成装置では、固定のテーブル参照により粗くプロセスパラメータの選択しか出来なかったのに対して、よりきめ細かいプロセスパラメータの設定を可能となる効果が得られた。
対して、画像形成装置２は、機体の維持や、基本的なプロセスコントロールとプロセス状態の検知と、コンピュータなどの上位装置１との通信機能以外は具備しない。このことにより、画像形成装置のハードウェアの軽量化、ソフトウェアのファイルサイズの減少によるＲＯＭの低容量化により、開発及び製造コストが削減できるようなった。
また、個別に画像形成装置２側で操作をすることなく、上位装置１のみで定着プロセス制御を行うので、ユーザが上位装置１を操作している作業現場を離れることなく、画像形成装置２の出力条件を決定可能となった。
【００２３】
上位装置１は、画像形成装置２に装填されている用紙の種類や画像形成装置２側の各部の温度といった内部状態を考慮し、個々の上位装置１で設定した印刷条件、画像形成装置２の利用者が目的に応じて設定した高速出力、高い画質や省資源などの優先項目に基づいて個々の上位装置１毎に定着プロセスを制御するためのプロセスパラメータを決定する。
このことにより、常に変動しうる外的条件に対して柔軟にプロセス条件の選択が可能になり、ユーザが優先する画像出力条件に対して、柔軟にプロセス条件の選択が可能となる。
【００２４】
また、画像の内容が、写真、絵、文字あるいはそれらの混在した画像であるのか、さらにカラー・モノクロ、解像度等の印刷詳細条件を考慮してページ毎にプロセスパラメータを決定する。
こうすることで、文書ごとのみならず、ページ毎の画像内容に応じて柔軟にプロセス条件の選択が可能になった。
また、プロセスパラメータは、高画質／色再現性重視、高速出力重視、省エネルギー／省資源重視等の画像形成装置利用者の目的にきめ細かに対応して、個々の上位装置で決定する。
このようにすることで、ユーザが優先する画像出力条件に対して柔軟にプロセス条件の選択が可能になる。
【００２５】
［実施例２］
本発明の第２の実施例について説明する。
図６は、本実施例における上位装置１にシミュレーション手段４１をさらに設けた画像形成システムの機能別ブロック図である。
図６のブロック図に示される様に、プロセスパラメータ決定手段４は、用紙の種別を含む画像出力条件４４、画像形成装置２から受け取った温度情報４３に基づいて、プロセスパラメータ４５を決定するが、さらに定着シミュレーション手段４１を用いて定着プロセスの状態を予測することにより、プロセスパラメータ４５を決定する。
【００２６】
定着シミュレーション手段４１は、定着手段１１を含む周辺の構造、および用紙・トナーの熱特性を、発熱源、熱抵抗、熱容量、スイッチなどからなる個別素子に置き換えた熱回路網モデルにより近似した簡易な温度予測プログラム、１次元の連続空間としてあるいは個別素子の一部を１次元、または２次元または３次元の有限要素法や有限差分法等による精密な温度予測プログラムなど複数のサブシミュレーション手段を保持する。定着シミュレーション手段４１は、上位装置１の図示しないＣＰＵの処理能力に応じて使用する温度予測プログラムを切り替える。このようにすることで、より多くのプロセス条件に対して、きめ細かいパラメータ値の設定を可能である。
また、上位装置１が、十分な処理能力を有するサーバー装置を中継して画像形成装置と接続されている場合には、プロセスパラメータ決定のためのプログラムの実行をサーバー装置に代行させればよい。
【００２７】
プロセスパラメータ決定手段４は、用紙の種別を含む画像出力条件４４、画像形成装置２から受け取った温度情報４３に基づいて、仮プロセスパラメータ４６を決定する。定着シミュレーション手段４１は、仮プロセスパラメータ４６、温度情報４３、用紙熱特性情報４２に基づいて温度の予測を行い、得られた予測結果データ４７を定着プロセスパラメータ決定手段４に渡す。温度情報４３は、定着ローラ加熱手段などの発熱体を制御するための温度センサ以外に、上位装置１機内に適宜に設置された温度センサによる測定温度も含む。
プロセスパラメータ決定手段４は予測結果データ４７を受け取り、前記仮決定した仮プロセスパラメータ４６が適当であるかどうかを判定し、正式にプロセスパラメータ４５を決定する。
【００２８】
従来は用紙が薄いか厚いかの違いによってたとえば線速度を２段階程度に切り替えていたが、用紙熱特性情報４２を考慮した温度予測手段による結果に基づいて、与えられた定着温度となるために必要な、補助加熱手段２３の温度やローラ駆動手段２６の線速度を決定することができる。さらに、定着シミュレーション手段４１（定着シミュレータ）は消費電力も推測することが可能であることは明らかである。もし省エネルギーを優先している場合には、定着ローラ１２の温度および線速度を具体的にどの程度下げたらよいかを決定することが可能になり、利用者の目的に応じた柔軟な制御が可能になる。
すなわち、ユーザが優先する画像出力条件に対して、柔軟なプロセス条件の選択が可能となる効果がある。
【００２９】
図７は、上位装置のメニュー構成を説明する図である。メニュー６を介して出力条件を決定する際、画像の光沢度を指定する場合に適用した例について図７を用いて説明する。メニュー６内には、予測画像表示領域５１、情報表示領域５３、スライド型の各設定手段、すなわち数値設定バー５２（ａ）（ｂ）（ｃ）、確定ボタン５４（ａ）、中止ボタン５４（ａ）が配置されている。ユーザは、数値設定バー５２（ａ）の操作により、光沢感を表す内部パラメータあるいは光沢度を決定し、数値設定バー５２（ｂ）および数値設定バー５２（ｃ）は照明角度や照度を決定する。
【００３０】
出力予定の画像データの各画素のカラー階調データを反射率データに変換し、表面に変角反射特性あるいはＢＲＤＦ（Bidirectional Reflectance Distribution Function）を付与して、与えられた照明角度および照度条件で予測し、再びカラー階調データに変換して、予想画像表示領域５１に表示する。光沢度に対応した光沢感を与える画像変換する手段としては、コンピュータグラフィクス技術ではすでに実現している、ＢＲＤＦによる光沢感仕上げ手法を用いる。所定の紙種類における定着温度と光沢度との関係をあらかじめデータベース化しておく。ユーザが予測画像表示領域５１を見ながら、数値設定バー５２（ａ）（ｂ）（ｃ）を操作し、好みの光沢感が得られる画像が得られたら、確定ボタン５４（ａ）を押すことで設定が終了する。プロセスパラメータ決定手段はデータベースに内蔵された情報に基づいて与えられた光沢度に対応する定着温度を決定する。ユーザが対話的に出力条件を決定するための手段を画像予測により実現したことで、プロセスパラメータをきめ細かく設定することが可能になる。
すなわち、予測画像表示領域５１に表示される出力予想画像を見ながら、所望の出力条件、例えば光沢感が得られるような画像になるように、数値設定手段領域（ａ）を操作して、きめ細かい定着条件を選択可能となる効果がある。
【００３１】
［実施例３］
本方式を複写機に適用した場合において、種別が特定可能な用紙を用いてテスト用画像を出力し、次にその画像をスキャナを用いることで読み取ることで得た画像データに関して、粒状度、鮮鋭度、などの画質指標、および濃度または明度を測定し、結果を上位装置１に送る。
上位装置１は、得られた画像評価項目のうち、各プロセスで必要な項目を選択し、プロセス制御パラメータを決定するためのプログラムの入力データとする。定着プロセスにおいては、紙の平滑さなど、構造上の違い等により画質が変化する。定着温度により光沢度が制御可能なトナーを使用した画像形成装置２においては、光沢が大きい場合には特にソリッド画像では明度が高くなる。また粒状性も悪くなる。
【００３２】
使用実績がない用紙や、銘柄名が同一でも特性が以前と異なるような用紙を用いて、１ｃｍ四方以上の矩形の、１６階調程度のカラーまたはモノクロのディザパターンを含む画像を、複数の定着温度条件により出力し、それら画像をスキャナ（画像読取装置）で読み取り、得られた画像データから、各温度における各階調の明度または濃度を算出する。
具体的には、画像データを反射率分布データに変換したのち、パッチ全体での反射率を平均して、濃度や明度に変換する。また、反射率分布データをウィーナースペクトルに変換し、さらに視覚感度関数（ＶＴＦ）を乗じて得られた１次元化スペクトルについて、明度４０から８０に相当する範囲内で振幅の平均値を求めて粒状度とする。光沢の大小で画像の明度や粒状度が変化するので、特に定着温度と相関があるトナーを用いた画像形成装置では、画質を優先する場合に適切な定着温度を決定することができる。
【００３３】
定着温度と明度および粒状度の関係は、多項式などで関数化し、データベースに新規データとして追加保存する。このようにして得られた新規の用紙に関する定着温度と画質に関する情報が、他の上位装置１でも必要な場合には、管理用の制御権限レベルを与えられた上位装置１を通じて取得するか、またはネットワークグループ内でアクセス限定可能なファイル共有手段を用いて、最新情報を共有化すればよい。
このように、使用実績が無いような銘柄の紙に対応した作像条件を見出すための方法を、上位装置上にソフトウェアにより具現化することで、実装上のコストや処理能力などにあまり束縛されることなく、またメンテナンス性にも優れた最適化ツールとして実現することが可能になる。
自律的に用紙に関する画実発現特性に関する情報を更新させることにより、使用する用紙の種別に適した定着プロセス制御をすることが可能になった。
また、個々の上位装置に対して制御パラメータの選択自由度を限定することで、例えば、省エネルギーなどの優先項目をグループ内で統一することも可能になる。
【図面の簡単な説明】
【００３４】
【図１】従来の電子写真方式の画像形成装置と上位装置からなる画像形成システムを機能ブロックで示した図。
【図２】本発明おける画像形成装置と上位装置からなる画像形成システムの概略構成図。
【図３】画像形成装置の定着プロセスにかかわる部分の構成を示す簡略図。
【図４】定着手段をより具体的に示した模式図。
【図５】本発明の画像形成システムの上位装置側の処理の流れを説明するフローチャート。
【図６】上位装置にシミュレーション手段をさらに設けた機能別ブロック図。
【図７】上位装置のメニュー構成を説明する図。
【符号の説明】
【００３５】
１  上位装置、２  画像形性装置、３  プロセス制御手段、４、１０４  プロセスパラメータ決定手段、５  プリントドライバ、６  メニュー、７  画像データ、８  インターフェイス、９  作像手段、１１  定着手段、１２  定着ローラ、１３  加圧ローラ、１４  用紙、１５  用紙トレイ、１６  用紙判別手段、２１  定着ローラ加熱手段、２２  定着ローラ温度センサ、２３  補助加熱手段、２４  補助加熱部温度センサ、２５  加熱手段制御ユニット、２６  ローラ駆動手段、２７  駆動手段制御ユニット、４２  用紙熱特性情報、４３  温度情報、４４  画像出力条件、４５  プロセスパラメータ、４６  仮プロセスパラメータ、４７  予測結果データ、５１  予測画像表示領域、５２（ａ）（ｂ）（ｃ）  数値設定バー、５３  情報表示領域、５４（ａ）  確定ボタン、５４（ｂ）  中止ボタン
【図１】
2008097382.tif 000003
【図２】
2008097382.tif 000004
【図３】
2008097382.tif 000005
【図４】
2008097382.tif 000006
【図５】
2008097382.tif 000007
【図６】
2008097382.tif 000008
【図７】
2008097382.tif 000009